(57)【特許請求の範囲】
【請求項１】
コンピュータに、
証券に対する値付け情報から成るチャート表示を表示する手順と、
証券注文の発注を行うためのインタフェース表示を表示する手順と
を実行させ、
前記チャート表示は、前記インタフェース表示へ入力しようとする価格に対応する前記チャート表示上の位置がユーザに選択されることによって、前記インタフェース表示に価格情報を入力する機能を有するように構成され、
前記値付け情報は、前記チャート表示の垂直軸上に表示され、
前記チャート表示は、証券指値注文と、選択されたアカウントの正味持ち高とを表示するようにさらに構成され、
前記指値注文は、該指値注文の価格に対応する垂直位置の水平ライン上に表示され、
前記正味持ち高は、該正味持ち高の平均価格に対応する垂直位置の水平ライン上に表示され、
前記チャート表示上の位置がユーザに選択されることは、前記チャート表示上の位置でマウスがクリックされることであり、
前記チャートの表示は、マウスのクリック状態が保持されることに応答して、詳細な値付け情報を表示し、該詳細な値付け情報を参照しながら、前記インタフェース表示へ入力しようとする価格に対応する前記チャート表示上の位置がユーザに選択されることによって、前記インタフェース表示に価格情報を入力する機能を有するようにさらに構成されることを特徴とするプログラム。
【請求項２】
前記チャート表示が、表示ツールを有し、
前記表示ツールは、前記チャート表示上の選択された垂直位置に、ユーザによる値付け情報を表示することを特徴とする請求項１に記載のプログラム。
【請求項３】
前記インタフェース表示が、注文の発注を行うためのフィールドを有し、
前記フィールドは、価格フィールドを有し、
前記チャート表示上の前記位置がユーザによって選択されたとき、前記価格フィールドに、前記位置に対応する価格が入力されることを特徴とする請求項１に記載のプログラム。
【請求項４】
前記チャート及びインタフェース表示が、前記水平ラインの移動によって、ユーザによる指値注文の変更を行う機能を有するように構成されることを特徴とする請求項１に記載のプログラム。
【請求項５】
前記チャート及びインタフェース表示が、マウスカーソルを用いた前記水平ラインの移動によって、ユーザによる指値注文の変更を行う機能を有するように構成されることを特徴とする請求項４に記載のプログラム。
【請求項６】
前記指値注文の価格に対応する垂直位置の前記水平ラインの色が、前記正味持ち高の平均価格に対応する垂直位置の水平ラインに用いられる色とは異なることを特徴とする請求項１に記載のプログラム。
【請求項７】
前記指値注文の価格に対応する垂直位置の前記水平ラインが赤色であり、
前記正味持ち高の平均価格に対応する垂直位置の前記水平ラインが緑色であることを特徴とする請求項６に記載のプログラム。
【請求項８】
コンピュータ実行方法であって、
プロセッサにより、証券に対する値付け情報から成るチャート表示上の位置を選択することに応答して、証券注文を発注するためのインタフェース表示に価格情報を入力する段階を有し、
前記位置は、前記インタフェース表示に入力しようとする価格に対応し、
前記値付け情報は、前記チャート表示の垂直軸上に表示され、
前記チャート表示は、証券指値注文と、選択されたアカウントの正味持ち高とを表示するように構成され、
前記指値注文は、該指値注文の価格に対応する垂直位置の水平ライン上に表示され、
前記正味持ち高は、該正味持ち高の平均価格に対応する垂直位置の水平ライン上に表示され、
前記チャート表示上の位置を選択することは、前記チャート表示上の位置でマウスがクリックされることであり、
証券に対する値付け情報から成るチャート表示上の位置を選択することに応答して、証券注文を発注するためのインタフェース表示に価格情報を入力する段階は、マウスのクリック状態が保持されることに応答して、詳細な値付け情報を表示し、該詳細な値付け情報を参照しながら、証券に対する値付け情報から成るチャート表示上の位置を選択することに応答して、証券注文を発注するためのインタフェース表示に価格情報を入力する段階を含むことを特徴とする方法。
【請求項９】
前記チャート表示が、表示ツールを有し、
前記表示ツールは、前記チャート表示上の選択された垂直位置に対するユーザによる値付け情報を表示することを特徴とする請求項８に記載の方法。
【請求項１０】
前記インタフェース表示が、注文の発注を行うためのフィールドを有し、
前記フィールドは、価格フィールドを有し、
前記チャート表示上の前記位置を選択することによって、前記価格フィールドに前記位置に対応する価格が入力される段階をさらに有することを特徴とする請求項８に記載の方法。
【請求項１１】
前記水平ラインを移動させることによって、指値注文を変更する段階をさらに有することを特徴とする請求項８に記載の方法。
【請求項１２】
前記水平ラインが、マウスカーソルを用いて移動させられることを特徴とする請求項１１に記載の方法。
【請求項１３】
前記指値注文の価格に対応する垂直位置の前記水平ラインの色が、前記正味持ち高の平均価格に対応する垂直位置の水平ラインに用いられる色とは異なることを特徴とする請求項８に記載の方法。
【請求項１４】
前記指値注文の価格に対応する垂直位置の前記水平ラインが赤色であり、
前記正味持ち高の平均価格に対応する垂直位置の前記水平ラインが緑色あることを特徴とする請求項１３に記載の方法。
【発明の詳細な説明】
【技術分野】
【０００１】
この出願は、２００６年３月２９日に出願された米国特許仮出願第６０／７８７，６１１号の優先権を主張するものである。上記仮出願のすべての内容が、引用によって本明細書に組み込まれる。
【背景技術】
【０００２】
ＴＡＬ社（Townsend Analytics, Ltd.）は、為替を含むマーケットデータソースとプライマリディーラーとを直接接続する。これらの接続を介して、ＴＡＬ社は、多様な資産クラスに関するリアルタイムのストリーミング気配値データを受信する。データは、ＴＡＬ社の技術を用いて、ＴＡＬ社の気配値サーバファームを経由して処理及び配信される。図１を参照されたい。
【０００３】
ＲｅａｌＴｉｃｋは、ＴＡＬ社のグラフィカルユーザインタフェースであって、多様な資産クラスにわたる証券の閲覧、分析、及び取引のために、プロフェッショナル及びリテールトレーダーによって使用されている。ＲｅａｌＴｉｃｋは、インターネット、専用線、又はＲａｄｉａｎｚなどの金融エクストラネットを介して、ＴＡＬ社の気配値サーバファームに接続する。トレーダーがティッカーシンボルに関するデータを要求したとき、ＲｅａｌＴｉｃｋは、サーバファームへリクエストを送信するとともに、当該ユーザのインタフェース上にデータを返して表示する。
【０００４】
ＲｅａｌＴｉｃｋユーザマニュアルの第１章（Introduction）と、第７章（Placing Orders）の最初の部分とが、背景技術の説明を目的として、引用によって本明細書に組み込まれる。上記ユーザマニュアルは、www.realtick.com/v2_files/rtuserman.pdfで入手可能である。
【０００５】
データリクエストがなされ、かつ表示が行われると、トレーダーは、注文を出すことで、そのデータに基づいて行動する。ＲｅａｌＴｉｃｋは、ＴＡＬ社のサービス事務局へ注文を送信する。サービス事務局は、リスク及びコンプライアンス管理を提供することによって電子取引をサポートするＩＴソリューションと、ミッドトゥバックオフィスソリューションとの総合サービスである。サービス事務局のネットワークは、電子取引、他のブローカー、及びさまざまな注文管理システムへの接続性を提供する。
【０００６】
取引システムが注文に対する妥当性検査を実行した後、取引システムは、当該ネットワーク内のＴＡＬ社の最終的なソフトウェアコンポーネント、すなわち、取引ハンドラへ注文を送信する。取引ハンドラは、注文を受信するとともに、ＴＡＬ社の内部プロトコルから取引プロトコルへ注文を変換する。
【０００７】
取引によって作成された実行レポートは、取引ハンドラを介してサービス事務局へ返されるとともに、最終的には、ＲｅａｌＴｉｃｋへ戻る。ＲｅａｌＴｉｃｋは、元のトレーダーに注文の状態を表示する。
【非特許文献１】"RealTick User Manual", http://www.realtick.com/v2_files/rtuserman.pdf
【発明の開示】
【課題を解決するための手段】
【０００８】
本発明の一実施態様は、証券取引に使用するためのグラフィカルユーザインタフェースを提供するソフトウェアを有する。以下の「発明を実施するための最良の形態」で例示されるように、ソフトウェアのユーザは、表示された市況チャート上でクリック又はドラッグを行うことによって、注文の発注又は変更を行うことができる。
【０００９】
例えば、ユーザがチャートの価格水準をクリックすれば、当該価格が、注文入力画面へ自動的に入力される。以降に記載の「注文の発注」を参照されたい。
【００１０】
注文は、例えば、表示された注文をクリック及びドラッグすることによって、所望の価格水準へと変更できる。以降に記載の「注文の変更」を参照されたい。
【００１１】
一態様において、本発明は、（ａ）証券に対する値付け情報から成るチャート表示を表示するソフトウェアと、（ｂ）証券注文の発注を行うためのインタフェース表示を表示するソフトウェアとから成るソフトウェアである。上記チャート表示は、上記インタフェース表示へ入力しようとする価格に対応する上記チャート表示上の位置がユーザに選択されることによって、上記インタフェース表示に価格情報を入力する機能を有するように構成されている。
【００１２】
いくつかの実施態様において、（１）上記値付け情報は、上記チャート表示の垂直軸上に表示される。（２）上記チャート表示は、証券指値注文を表示するようにさらに構成され、上記指値注文は、該指値注文の価格に対応する垂直位置の水平ライン上に表示される。（３）上記チャート表示は、選択されたアカウントの正味持ち高を表示するようにさらに構成され、上記正味持ち高は、該正味持ち高の平均価格に対応する垂直位置の水平ライン上に表示される。（４）上記チャート表示は、表示ツールを有し、上記表示ツールは、上記チャート表示上の選択された垂直位置に、ユーザによる値付け情報を表示する。（５）上記インタフェース表示は、注文の発注を行うためのフィールドを有し、上記フィールドは、価格フィールドを有し、上記チャート表示上の上記位置がユーザによって選択されたとき、上記価格フィールドに、上記位置に対応する価格が入力される。（６）上記チャート及びインタフェース表示は、上記水平ラインの移動によって、ユーザによる指値注文の変更を行う機能を有するように構成される。（７）上記チャート及びインタフェース表示は、マウスカーソルを用いた上記水平ラインの移動によって、ユーザによる指値注文の変更を行う機能を有するように構成される。（８）上記指値注文の価格に対応する垂直位置の上記水平ラインの色は、上記正味持ち高の平均価格に対応する垂直位置の水平ラインに用いられる色とは異なる。（９）上記指値注文の価格に対応する垂直位置の上記水平ラインは赤色であり、かつ上記正味持ち高の平均価格に対応する垂直位置の上記水平ラインは緑色である。
【００１３】
別の態様において、本発明は、証券に対する値付け情報から成るチャート表示上の位置を選択することによって、証券注文を発注するためのインタフェース表示に価格情報を入力する段階を有する方法である。上記位置は、上記インタフェース表示に入力しようとする価格に対応する。
【００１４】
いくつかの実施態様において、（１）上記値付け情報は、上記チャート表示の垂直軸上に表示される。（２）上記チャート表示は、証券指値注文を表示するように構成され、上記指値注文は、該指値注文の価格に対応する垂直位置の水平ライン上に表示される。（３）上記チャート表示は、選択されたアカウントの正味持ち高を表示するように構成され、上記正味持ち高は、該正味持ち高の平均価格に対応する垂直位置の水平ライン上に表示される。（４）上記チャート表示は、表示ツールを有し、上記表示ツールは、上記チャート表示上の選択された垂直位置に対するユーザによる値付け情報を表示する。（５）上記インタフェース表示は、注文の発注を行うためのフィールドを有し、上記フィールドは、価格フィールドを有し、上記チャート表示上の上記位置を選択することによって、上記価格フィールドに上記位置に対応する価格が入力される段階をさらに有する。（６）上記水平ラインを移動させることによって、指値注文を変更する段階をさらに有する。（７）上記水平ラインは、マウスカーソルを用いて移動させられる。（８）上記指値注文の価格に対応する垂直位置の上記水平ラインの色は、上記正味持ち高の平均価格に対応する垂直位置の水平ラインに用いられる色とは異なる。（９）上記指値注文の価格に対応する垂直位置の上記水平ラインは赤色であり、かつ上記正味持ち高の平均価格に対応する垂直位置の上記水平ラインは緑色ある。
【００１５】
その他の実施例は、明細書に記載されるか、又は当業者には明白である。
【００１６】
本発明は、ＲｅａｌＴｉｃｋ及びＴＡＬ社の注文管理システムの環境下で説明されているが、当然ながら、本発明を任意の他の類似の注文入力ソフトウェア及び注文管理システムと組み合わせて使用できる。
【００１７】
本発明の実施態様は、当業者には明白なコンピュータコンポーネント及びコンピュータ実行ステップを有する。開示を簡略化するために、本発明のステップ及び要素は、コンピュータシステムの一部として、そのすべてが明細書中に明確に記載されているとは限らない。しかしながら、各ステップ及び要素は、対応するコンピュータシステム及びソフトウェアコンポーネントを有してよく、かつ好ましくは有するということが、当業者には明白である。したがって、このようなコンピュータシステム及び／又はソフトウェアコンポーネントは、それらの対応するステップ又は要素（すなわち、それらの機能）を記載することによって実施可能であるとともに、本発明の範囲内にある。
【発明を実施するための最良の形態】
【００１８】
本特許又は出願書類は、色付きで作成された少なくとも１つの図面を含む。色付き図面を備えたこの特許又は特許出願公開の写しは、我々のオフィスに申し出るとともに、必要な料金を支払うことによって入手できる。
【００１９】
以下の記載は、本発明の少なくとも１つの実施形態のソフトウェア、ステップ、及びグラフィカルユーザインタフェースを説明する。
【００２０】
［チャートの作成］
チャートを作成するために、ユーザは、ＲｅａｌＴｉｃｋデザインメニュー上の「Chart」項目をクリックする。図２を参照されたい。次に、ユーザは、チャート設定メニューのシンボルフィールド「Symbols」に１つ以上のシンボルを入力する。図３を参照されたい。また、ユーザは、データ期間フィールド「Data Period」に設けられたドロップダウンリストから所望のチャート種類を選択する。図４を参照されたい。
【００２１】
また、ユーザは、日付フィールド「Date」に日付を入力する。好ましくは、デフォルト値によって、日付フィールドには当日の日付が入力されている。図５を参照されたい。また、ユーザは、遡りたい日数を日数フィールド「Days」で指定する。図６を参照されたい。
【００２２】
日中（Intraday）チャートを作成する場合、ユーザは、日中バー間隔フィールド「Bar Interval」に分単位の時間間隔の数値をタイプするか、又は矢印で値を増減する。図７を参照されたい。
【００２３】
ユーザは、当日のマーケットが開いてからのデータのみを表示するように、「Start Bars at Open」にチェックを入れる。図８を参照されたい。ユーザは、指定した時刻より前のデータの表示を除外するために、「Exclude Data Before」にチェックを入れる。図９を参照されたい。好ましくは、このボックスにチェックを入れると、「Start Bars at Open」が無効となる。
【００２４】
ユーザは、指定した時刻より後のデータの表示を除外するために、「Exclude Data After」にチェックを入れる。図１０を参照されたい。ユーザは、マーケットオープン前及びクローズ後のデータ、及び最適な買い指値又は売り指値から離れて執行された取引のデータといったイレギュラーなデータを表示するように、「Include Irregular Trades」にチェックを入れる。図１１を参照されたい。好ましくは、このオプションは、データ期間「Trades」、「Time & Sales」、「Tick Bar」、及び「Volume Bar」で利用可能である。
【００２５】
ユーザは、チャートタイトルフィールドに、チャートのタイトルを入力できる。デフォルト値によって、タイトルは、チャートに入力されたシンボルの会社名となる。図１２を参照されたい。ワイルドカード記号としてアスタリスク（＊）が付いていると、チャート中のシンボルが変更されたときに、タイトルの更新が行われる。
【００２６】
ユーザは、バーグラフ中にチャートデータを表示するように、「Bar Graph」のチェックボックスをクリックする。好ましくは、これは、「Intraday」、「Tick Bar」、「Volume Bar」、「Daily」、「Weekly」、及び「Monthly」の期間を利用可能である。図１３を参照されたい。
【００２７】
ユーザは、ロウソク足インターバルチャートを表示するように、「CandleStick」のチェックボックスをクリックする。好ましくは、これは、「Bar Graph」がチェックされている場合のみ利用可能である。図１４を参照されたい。
【００２８】
ユーザは、出来高バーグラフを表示するように、「Show Volume」のチェックボックスをクリックする。そして、ＯＫをクリックして、チャートを表示する。図１５を参照されたい。
【００２９】
表示されたチャート（図１６参照）上で、ユーザは、チャートメニューをクリックし、かつサブメニュー「Show Windows」から、「Show Order View」を選択して、チャートの下部に注文入力画面を追加することができる。また、チャートメニューを使用する他にも、ユーザは、ファンクションキーＦ７を押すことによって、注文入力画面を表示できる。
【００３０】
［注文の発注］
図１７は、標準的なレイアウトによる一実施形態の注文入力画面を示す。垂直軸は、価格を示すために用いられる。「値上がり（up）」バーは、緑色で示され、「値下がり（down）」バーは、赤色で示される。バー（又は「ロウソク足」）の上辺及び下辺は、当該期間に対する始値及び終値を示し、「ロウソクの芯（wick）」が、当該期間に対する高値及び安値を示す。「値上がり」及び「値下がり」は、始値が終値よりも高いか否かで決まる（すなわち、「値上がり」とは、終値が始値よりも高かったということを意味する）。
【００３１】
アカウントがまだ選択されていなかった場合、又はユーザが選択されたアカウントの変更を望む場合、ユーザは、チャートメニューをクリックし、注文の発注を行う取引アカウントを指定するために、「Select Account」を選択する。図１８を参照されたい。
【００３２】
また、好ましくは、ユーザは、表示をカスタマイズできる。例えば、図１９は、「CandleStick」がチャート表示方法として選択されていることを示す。
【００３３】
注文入力画面では、ユーザは、発注する注文の残りのパラメータである、「Expiration」、「Acct Type」、「Volume」、「Price」、「Price Type」、「Route」、「Reserve Amt」（もし保留注文を発注するなら）、及び「Vol. Type」を設定する。好ましくは、これらのフィールドは、ユーザによって変更されない限り、１つの注文から次の注文へと変更されずに引き継がれる。
【００３４】
注文を発注するために、ユーザは、チャートをクリックして、注文入力画面（図１７参照）中の価格フィールド「Price」に価格を入力する。例えば、ユーザが１４６．３０に等しい垂直レベル上の点で画面上をクリックすることによって、注文入力画面の価格ボックスに価格が仮入力される。図１８を参照されたい。
【００３５】
ユーザは、「Buy」又は「Sell」ボタンをクリックして発注を行う。好ましくは、シンボルに対する目下のすべての注文が、「Cancel All」ボタンをクリックすることによって取り消し可能である。
【００３６】
［チャート内への注文の表示］
注文及びポジションが、現在チャートに表示されているシンボルに対して表示できる。ユーザは、チャートメニューをクリックし、サブメニュー「Display Attributes」から「Show Orders」を選択する。図１９を参照されたい。「Show Orders」オプションは、注文を表示させないように、非選択とすることができるが、好ましくは、表示上の垂直位置でクリックすることによる注文価格の入力機能は、引き続き利用可能である。
【００３７】
チャートに表示可能な執行中の注文のタイプに制限はないが、好ましくは、指値ポジションのみが表示される。ポジションが解消されるか、又は注文が取り消されたならば、それは、チャートウィンドウに表示されなくなる。図２０ないし図２４は、チャートウィンドウに表示される執行中の注文及び指値ポジションのいくつかの実施例を示す。
【００３８】
図２０は、執行中の注文である「LMT Buy 1000 LEH on route DEMO（デモルートでリーマンブラザーズ株を１０００株指値買い）」を示す。すぐ上の赤字のテキストに沿った赤色の水平ラインは、注文の内容（すなわち、「Buy 1000 LEH at 142.00 on DEMO」）をユーザが素早く確認できるようにし、かつライン及びテキストの垂直位置が、ユーザの注文価格をそのまま表す。この赤色（ユーザによって設定可能）が、当該注文が執行中であることを意味する。
【００３９】
図２１は、ロングポジションである「1000 LEH bought at an average price of 142.797（リーマンブラザーズ株を平均価格１４２．７９７で１０００株買っている）」を示す。緑色の水平ライン及び付随するテキストが、ポジションの内容（すなわち、「Long 1000 LEH」）をユーザに伝え、かつ平均価格が、テキストと、ラインの垂直位置との両方で伝わる。緑色（ユーザによって設定可能）が、これがポジション（この場合、約定済み注文）であることを意味する。好ましくは、すべてのポジションではなく、正味ポジションだけがこの方法で表示される。しかしながら、これは、ユーザの設定に従う。
【００４０】
図２２は、ロングポジション及び執行中の注文である「2800 LEH bought at an average price of 142.676 with a live order of 200 shares remaining（リーマンブラザーズ株を平均価格１４２．６７６で２８００株買っており、執行中の買い注文が２００株残っている）」を示す。注文の赤色は、注文が部分的に約定されたことを示す。
【００４１】
図２３は、ストップ注文である、「Buy 1000 LEH on route DEMO (stop: 145.00)（デモルートでリーマンブラザーズ株をストップ価格を１４５．００に入れて１０００株買い）」を示す。図２４は、ストップ−指値注文である、「Buy 1000 LEH at 142.97 on route DEMO (stop: 143.00)（デモルートで、リーマンブラザーズ株をストップ価格を１４５．００に入れて指値１４２．９７で１０００株買い）」を示す。
【００４２】
［注文の変更］
注文が執行中であっても、ユーザは、注文を変更するために、いくつかのオプションを利用できる。ユーザは、左クリックで注文を所望の（新しい）価格レベルへドラッグアンドドロップすることで、注文の変更を行うことが可能である。好ましくは、これを行うことは、ユーザが価格の変更だけを望むと見なされ、注文変更ダイアログボックスが立ち上がらない。
【００４３】
あるいは、ユーザは、注文を右クリックするとともに、「Change Order ...」を選択し、注文変更ダイアログボックスを立ち上げること、又は「Cancel Order」を選択し、ついで「Confirm Cancel」メッセージの確認を行うことができる。図２５を参照されたい。
【００４４】
「Change Order ...」をクリックすることで、注文変更ダイアログボックスが立ち上がる。図２６を参照されたい。ユーザは、「Yes」をクリックして変更を継続するか、又は「No」をクリックして変更を取り消す。図２７を参照されたい。好ましくは、注文入力プロパティで確認機能を無効にしてあれば、変更及び取り消しは、ダイアログなしで完了する。
【００４５】
図２８は、より正確な価格の決定に使用される一実施形態の照準ツールを示したスクリーンショットである。好ましくは、照準ツールは、チャート上をクリックし、かつマウスのボタンを押し込んだ状態を保持することによって起動される。カーソル位置が移動すると、表示上の垂直位置に従って、照準ツールの表示ボックスに表示される詳細な値付け情報が変化する。
【００４６】
図２９は、マウスで線を引くことによって変更された執行中の注文を示す（白いラインが、マウスボタンを放したときに注文がなされる位置である）。好ましくは、カーソルは、注文が変更されているとき、上下の矢印に変化する（図示せず）。図３０は、注文変更の結果を示す。
【００４７】
以上に記載された実施形態は、限定を意図したものではない。当業者は、図面及び詳細な説明をレビューした後に、他の実施形態を考え付くであろう。
【００４８】
本発明の実施形態は、当業者には明白なコンピュータコンポーネント及びコンピュータ実行ステップを有する。開示を簡略化するために、本発明のステップ及び要素は、コンピュータシステムの一部として、そのすべてが明細書中に記載されているとは限らない。しかしながら、各ステップ又は要素が対応するコンピュータシステム又はソフトウェアコンポーネントを有してよいということは、当業者には明白である。したがって、このようなコンピュータシステム及び／又はソフトウェアコンポーネントは、それらの対応するステップ又は要素（すなわち、それらの機能）を記載することによって実施可能であるとともに、本発明の範囲内にある。
【図面の簡単な説明】
【００４９】
【図１】ＴＡＬ社の取引システムを示す。
【図２】一実施形態のチャートデザインメニューを示す。
【図３】一実施形態のチャート設定インタフェースの画面を示す。
【図４】一実施形態のチャート設定インタフェースの画面を示す。
【図５】一実施形態のチャート設定インタフェースの画面を示す。
【図６】一実施形態のチャート設定インタフェースの画面を示す。
【図７】一実施形態のチャート設定インタフェースの画面を示す。
【図８】一実施形態のチャート設定インタフェースの画面を示す。
【図９】一実施形態のチャート設定インタフェースの画面を示す。
【図１０】一実施形態のチャート設定インタフェースの画面を示す。
【図１１】一実施形態のチャート設定インタフェースの画面を示す。
【図１２】一実施形態のチャート設定インタフェースの画面を示す。
【図１３】一実施形態のチャート設定インタフェースの画面を示す。
【図１４】一実施形態のチャート設定インタフェースの画面を示す。
【図１５】一実施形態のチャート設定インタフェースの画面を示す。
【図１６】一実施形態の注文チャートを示す。
【図１７】一実施形態の注文入力チャートの画面を示す。
【図１８】一実施形態の注文入力チャートの画面を示す。
【図１９】一実施形態の注文入力チャートの画面を示す。
【図２０】一実施形態の注文入力チャートの画面を示す。
【図２１】一実施形態の注文入力チャートの画面を示す。
【図２２】一実施形態の注文入力チャートの画面を示す。
【図２３】一実施形態の注文入力チャートの画面を示す。
【図２４】一実施形態の注文入力チャートの画面を示す。
【図２５】一実施形態の注文入力チャートの画面を示す。
【図２６】一実施形態の注文入力チャートの画面を示す。
【図２７】一実施形態の注文入力チャートの画面を示す。
【図２８】一実施形態の照準ツールを示す。
【図２９】一実施形態において、どのようにして注文の変更が行われるかを図示する。
【図３０】一実施形態において、どのようにして注文の変更が行われるかを図示する。
【図２】
0005404385.tif 000002
【図３】
0005404385.tif 000003
【図４】
0005404385.tif 000004
【図５】
0005404385.tif 000005
【図６】
0005404385.tif 000006
【図７】
0005404385.tif 000007
【図８】
0005404385.tif 000008
【図９】
0005404385.tif 000009
【図１０】
0005404385.tif 000010
【図１１】
0005404385.tif 000011
【図１２】
0005404385.tif 000012
【図１３】
0005404385.tif 000013
【図１４】
0005404385.tif 000014
【図１５】
0005404385.tif 000015
【図１６】
0005404385.tif 000016
【図１７】
0005404385.tif 000017
【図１８】
0005404385.tif 000018
【図１９】
0005404385.tif 000019
【図２０】
0005404385.tif 000020
【図２１】
0005404385.tif 000021
【図２２】
0005404385.tif 000022
【図２３】
0005404385.tif 000023
【図２４】
0005404385.tif 000024
【図２５】
0005404385.tif 000025
【図２６】
0005404385.tif 000026
【図２７】
0005404385.tif 000027
【図２８】
0005404385.tif 000028
【図２９】
0005404385.tif 000029
【図３０】
0005404385.tif 000030
【図１】
0005404385.tif 000031